(57)【要約】【課題】ラッチ型リレーの接点が閉じられた状態を解除できなくなっても、部屋の温度が異常高温に達するまでに空調ユニットの運転を確実に停止する。【解決手段】非ラッチ型のリレー３１は、空調ユニット３から出力される交流電圧を入力する端子Ｐ４１および内部交流電源線４０の間に介在する接点３１ａを有する。ラッチ型のリレー３２、３３は、内部交流電源線４０および空調機２７、２８の運転実行可否端子２７ａ、２８ａの間の給電経路に介在する接点３２ａ、３３ａを有する。制御回路２３は、温度センサ２２による検出温度が判定温度未満のとき、リレー３１の接点３１ａを閉じた上でリレー３２、３３の開閉を制御することにより、運転実行可否端子２７ａ、２８ｂへの交流電圧の供給、つまり空調機２７、２８の運転を制御する。制御回路２３は、温度センサ２２による検出温度が判定温度以上になると、リレー３１の接点３１ａを開く。【選択図】図２
2015132403.tif 000002
【特許請求の範囲】
【請求項１】
少なくとも暖房運転を行う１つの空調ユニットにより家屋の複数の部屋を空調する全館空調システムに用いられる前記空調ユニットの運転を制御する空調制御装置であって、
前記空調ユニットは、複数の空調機を備え、それら空調機の運転の実行および停止を切り替えることにより運転能力が可変になっており、前記空調制御装置に対して交流電圧を出力し、前記空調制御装置から運転実行可否端子に対して前記交流電圧が供給されると、それに対応する前記空調機による暖房運転を実行し、前記交流電圧の供給が断たれると前記暖房運転を停止する構成であり、
装置の動作全般を制御するマイクロコンピュータと、
前記空調ユニットから出力される交流電圧を入力する電圧入力端子と、
前記空調ユニットの前記運転実行可否端子に接続される運転指令出力端子と、
前記マイクロコンピュータの電源電圧を生成する制御用電源回路と、
前記電圧入力端子から内部交流電源線に至る第１給電経路を開閉する保護用開閉部と、
前記内部交流電源線から前記運転指令出力端子に至る第２給電経路に介在する接点を備え、前記マイクロコンピュータから出力されるリレー接続信号が供給されると前記接点を閉じるとともに前記マイクロコンピュータから出力されるリレー解除信号が供給されると前記接点を開くように構成されたラッチ型リレーと、
室内の温度を検出する温度検出手段と、
を備え、
前記マイクロコンピュータは、起動するとオン指令信号の出力を開始し、その後、前記温度検出手段による検出温度が所定の判定温度未満である場合にはオン指令信号の出力を継続し、前記検出温度が前記判定温度以上になると前記オン指令信号の出力を停止し、
前記保護用開閉部は、前記マイクロコンピュータから出力されるオン指令信号が供給されると前記第１給電経路を閉じるとともに、前記オン指令信号の供給が断たれると前記第１給電経路を開くことを特徴とする空調制御装置。
【請求項２】
前記温度検出手段は、室内の温度を検出する複数の温度センサを備えていることを特徴とする請求項１に記載の空調制御装置。
【請求項３】
少なくとも暖房運転を行う１つの空調ユニットにより家屋の複数の部屋を空調する全館空調システムに用いられる前記空調ユニットの運転を制御する空調制御装置であって、
前記空調ユニットは、複数の空調機を備え、それら空調機の運転の実行および停止を切り替えることにより運転能力が可変になっており、前記空調制御装置に対して交流電圧を出力し、前記空調制御装置から運転実行可否端子に対して前記交流電圧が供給されると、それに対応する前記空調機による暖房運転を実行し、前記交流電圧の供給が断たれると前記暖房運転を停止する構成であり、
装置の動作全般を制御するマイクロコンピュータと、
前記空調ユニットから出力される交流電圧を入力する電圧入力端子と、
前記空調ユニットの前記運転実行可否端子に接続される運転指令出力端子と、
前記マイクロコンピュータの電源電圧を生成する制御用電源回路と、
室内の温度を検出する検出部および前記検出部による検出温度が所定の判定温度未満である場合にはオン指令信号を出力するとともに前記検出温度が前記判定温度以上である場合には前記オン指令信号の出力を停止する出力部を備えた温度検出回路と、
前記電圧入力端子から内部交流電源線に至る第１給電経路を開閉する保護用開閉部と、
前記内部交流電源線から前記運転指令出力端子に至る第２給電経路に介在する接点を備え、前記マイクロコンピュータから出力されるリレー接続信号が供給されると前記接点を閉じるとともに前記マイクロコンピュータから出力されるリレー解除信号が供給されると前記接点を開くように構成されたラッチ型リレーと、
を備え、
前記保護用開閉部は、前記温度検出回路から出力されるオン指令信号が供給されると前記第１給電経路を閉じるとともに、前記オン指令信号の供給が断たれると前記第１給電経路を開くことを特徴とする空調制御装置。
【請求項４】
少なくとも暖房運転を行う１つの空調ユニットにより家屋の複数の部屋を空調する全館空調システムに用いられる前記空調ユニットの運転を制御する空調制御装置であって、
前記空調ユニットは、複数の空調機を備え、それら空調機の運転の実行および停止を切り替えることにより運転能力が可変になっており、前記空調制御装置に対して交流電圧を出力し、前記空調制御装置から運転実行可否端子に対して前記交流電圧が供給されると、それに対応する前記空調機による暖房運転を実行し、前記交流電圧の供給が断たれると前記暖房運転を停止する構成であり、
装置の動作全般を制御するマイクロコンピュータと、
前記空調ユニットから出力される交流電圧を入力する電圧入力端子と、
前記空調ユニットの前記運転実行可否端子に接続される運転指令出力端子と、
前記マイクロコンピュータの電源電圧を生成する制御用電源回路と、
室内の温度を検出し、その検出温度が所定の判定温度未満である場合にはオン指令信号を出力し、前記検出温度が前記判定温度以上である場合には前記オン指令信号の出力を停止する温度検出回路と、
前記電圧入力端子から内部交流電源線に至る第１給電経路を開閉する保護用開閉部と、
前記内部交流電源線から前記運転指令出力端子に至る第２給電経路に介在する接点を備え、前記マイクロコンピュータから出力されるリレー接続信号が供給されると前記接点を閉じるとともに前記マイクロコンピュータから出力されるリレー解除信号が供給されると前記接点を開くように構成されたラッチ型リレーと、
室内の温度を検出する温度検出手段と、
を備え、
前記マイクロコンピュータは、起動するとオン指令信号の出力を開始し、その後、前記温度検出手段による検出温度が所定の判定温度未満である場合にはオン指令信号の出力を継続し、前記検出温度が前記判定温度以上になると前記オン指令信号の出力を停止し、
前記保護用開閉部は、前記マイクロコンピュータおよび前記温度検出回路から出力される２つのオン指令信号が供給されると前記第１給電経路を閉じるとともに、前記２つのオン指令信号の一方または双方の供給が断たれると前記第１給電経路を開くことを特徴とする空調制御装置。
【請求項５】
前記温度検出手段は、室内の温度を検出する複数の温度センサを備えていることを特徴とする請求項４に記載の空調制御装置。
【請求項６】
前記温度検出回路は、温度スイッチＩＣを備えた構成であることを特徴とする請求項３から５のいずれか一項に記載の空調制御装置。
【請求項７】
前記温度検出回路の検出部は、一対の電源線間に接続されたポリスイッチおよび抵抗の直列回路を含み、その直列回路の共通接続点の電圧に基づいて温度を検出する構成であることを特徴とする請求項３から５のいずれか一項に記載の空調制御装置。
【請求項８】
前記温度検出回路の検出部は、一対の電源線間に接続されたサーミスタおよび抵抗の直列回路を含み、その直列回路の共通接続点の電圧に基づいて温度を検出する構成であることを特徴とする請求項３から５のいずれか一項に記載の空調制御装置。
【請求項９】
前記マイクロコンピュータから出力されるパルス信号が供給される期間に電源動作許可信号を前記制御用電源回路に対して出力する許可信号出力部を備え、
前記マイクロコンピュータは、正常に動作している期間に前記パルス信号を出力し、
前記制御用電源回路は、前記電源動作許可信号が供給されている期間には前記電源電圧の生成動作を行い、前記電源動作許可信号の供給が断たれると前記生成動作を停止することを特徴とする請求項１から８のいずれか一項に記載の空調制御装置。
【請求項１０】
前記空調ユニットは、前記空調制御装置からファン動作可否端子に対して前記交流電圧が供給されると送風用のファンの駆動を実行し、前記交流電圧の供給が断たれるとファンの駆動を停止する構成であり、
前記空調ユニットの前記ファン動作可否端子に接続されるファン指令出力端子と、
前記電圧入力端子から前記ファン指令出力端子に至る第３給電経路に介在する第１接点と、前記第１給電経路に介在する第２接点とを備え、前記オン指令信号が供給されると前記第１および第２接点を閉じるとともに前記オン指令信号の供給が断たれると前記第１および第２接点を開くように構成された非ラッチ型リレーと、
を備え、
前記保護用開閉部は、前記非ラッチ型リレーが備える前記第２接点により前記第１給電経路を開閉するように構成されていることを特徴とする請求項１から９のいずれか一項に記載の空調制御装置。
【発明の詳細な説明】
【技術分野】
【０００１】
本発明は、少なくとも暖房運転を行う１つの空調ユニットにより家屋の複数の部屋を空調する全館空調システムに用いられる空調ユニットの運転を制御する空調制御装置に関する。
【背景技術】
【０００２】
このような全館空調システムの空調ユニットは、複数の（多段の）空調機を備え、それら空調機の運転のオン／オフを切り替えることにより、その運転能力が可変になっている。空調ユニットの各空調機は、空調制御装置から運転の実行を指令するための指令信号が供給されると暖房などの運転を実行し、その指令信号の供給が断たれると運転を停止する構成となっている（例えば特許文献１参照）。
【０００３】
上述した指令信号としては、空調ユニットが備える電源回路により生成される交流電圧（例えば２４Ｖ）が用いられることが多い。この場合、空調ユニットは、空調制御装置に対して上記交流電圧を出力するように構成されている。そして、空調制御装置は、空調ユニットから与えられた交流電圧を再び空調ユニットに供給するか否かにより、各空調機の運転の実行および停止（オン／オフ）を切り替えるように構成されている。
【０００４】
上記切り替えを行う構成としては、ラッチ型リレーが用いられている。その理由は次のとおりである。すなわち、ラッチ型リレーは、駆動電流（励磁電流）の供給により接点の開閉が行われ、駆動電流の供給が停止されても、そのときの状態（開または閉）を維持するように構成されている。従って、ラッチ型リレーは、接点が一旦作動してしまえば、その接点の状態を維持するための駆動電流を流す必要がない。これに対し、非ラッチ型リレーは、接点の作動状態を維持するために駆動電流を流し続ける必要がある。
【０００５】
上記切り替えを行う構成として非ラッチ型リレーを用いた場合、運転の実行を指令している際、複数の非ラッチ型リレーの励磁コイルには常に駆動電流が流れることになる。そうすると、それら励磁コイルが発熱し、その結果、空調制御装置の筐体内部の温度が大きく上昇する。空調制御装置は、その筐体内部に室温を測定するための温度センサを備えているので、筐体内部の温度が大きく上昇すると、その温度センサにより正しい室温の測定を行うことができなくなる。
【０００６】
これに対し、上記切り替えを行う構成としてラッチ型リレーを用いた場合、運転の実行を指令している際、駆動電流を流し続ける必要がないため、励磁コイルはほとんど発熱しない。そのため、空調制御装置の筐体内部の温度が大きく上昇することがなく、温度センサにより精度良く室温の測定を行うことができる。
【０００７】
ただし、ラッチ型リレーを用いて空調ユニットに対する交流電圧（指令信号）の出力を制御する構成には、次のような問題点がある。すなわち、ラッチ型リレーを含む全てのリレーでは、電流が流れた状態において接点の開閉が行われると、アークが発生し、それにより接点が溶着（固着）することがある。また、接点の経年劣化などによっても、接点の固着が起こる可能性がある。
【０００８】
このように接点が固着すると、運転の実行を指令した状態を解除することができなくなる。このとき、空調ユニットが暖房運転を行う状態であるとすると、部屋の温度が通常考えられる範囲の温度よりも非常に高い温度（以下、異常高温と呼ぶ）まで上昇するおそれがある。また、ラッチ型リレーの接点が閉じられた状態で、そのリレーの開閉を制御するマイクロコンピュータなどの制御系に対する電源電圧の供給が途絶えた場合にも、接点が閉じられた状態、つまり運転の実行を指令した状態を解除することができなくなり、接点が固着した場合と同様の問題が生じる。
【０００９】
そこで、空調制御装置において、空調ユニットから出力される交流電圧を入力するための電圧入力端子からラッチ型リレーの接点に至る給電経路に介在するようにバイメタルを用いたスイッチ（以下、バイメタル式スイッチと呼ぶ）を設けるといった構成が採用されている。バイメタル式スイッチは、熱膨張の異なる２種類の金属を張り合わせたバイメタルおよび接点で構成されており、温度変化によりバイメタルが膨張して、接点を動作させることで開閉するスイッチである。
【００１０】
このような構成によれば、ラッチ型リレーの接点が閉じられた状態を解除できなくなったとしても、部屋の温度が所定温度付近まで上昇した段階でバイメタル式スイッチの接点がオフになる（開く）。これにより、空調ユニットへの交流電圧（指令信号）の供給が断たれ、暖房運転が停止されるので、部屋の温度が異常高温まで上昇する事態の発生を防止することができる。
【先行技術文献】
【特許文献】
【００１１】
【特許文献１】特開２０１２−５２７６９号公報
【発明の概要】
【発明が解決しようとする課題】
【００１２】
バイメタル式スイッチは、定常時において、バイメタルに流れる電流に応じて自己発熱する。また、バイメタルに流れる電流は、オン状態のラッチ型リレーの数に応じて変化する。そのため、定常時におけるバイメタル式スイッチにおける発熱量は、運転が実行されている空調機の数によって変化する。その結果、運転が実行されている空調機の数、つまり空調ユニットの運転能力の可変状況に応じて、バイメタル式スイッチのオフ設定温度が変化してしまう（ばらつきが生じる）。
【００１３】
このような事情から、バイメタル式スイッチを用いた構成では、空調ユニットの運転を強制的に停止する温度の設定が難しい。例えば、バイメタル式スイッチのオフ設定温度を低めに設定すると、そのばらつきにより、部屋の温度が通常想定される範囲内の温度（以下、通常範囲温度と呼ぶ）であるにもかかわらず、空調が停止される誤動作が生じる可能性がある。また、バイメタル式スイッチのオフ設定温度を高めに設定すると、そのばらつきにより、部屋の温度が異常高温に達したにもかかわらず、空調が停止されない事態が生じるおそれがある。
【００１４】
本発明は上記事情に鑑みてなされたものであり、その目的は、ラッチ型リレーの接点が閉じられた状態を解除できなくなっても、部屋の温度が異常高温に達するまでに空調ユニットの運転を確実に停止することができる空調制御装置を提供することにある。
【課題を解決するための手段】
【００１５】
請求項１に記載の空調制御装置は、全館空調システムに用いられるもので、少なくとも暖房運転を行う空調ユニットの運転を制御するものである。この場合、空調ユニットは、複数の空調機を備え、それら空調機の運転の実行および停止を切り替えることにより、その運転能力が可変になっている。また、空調ユニットは、空調制御装置に対して交流電圧を出力し、空調制御装置から運転実行可否端子に対して交流電圧が供給されると、それに対応する空調機による暖房運転を実行し、交流電圧の供給が断たれると暖房運転を停止する構成である。一方、空調制御装置は、装置の動作全般を制御するマイクロコンピュータ、交流電圧を入力する電圧入力端子、運転実行可否端子に接続される運転指令出力端子、マイクロコンピュータの電源電圧を生成する制御用電源回路、電圧入力端子から内部交流電源線に至る第１給電経路を開閉する保護用開閉部、内部交流電源線から運転指令出力端子に至る第２給電経路に介在する接点を備えたラッチ型リレーおよび室内の温度を検出する温度検出手段を備えている。
【００１６】
このような構成において、マイクロコンピュータは、起動するとオン指令信号の出力を開始し、その後、温度検出手段による検出温度が所定の判定温度未満である場合にはオン指令信号の出力を継続する。つまり、マイクロコンピュータは、定常時（通常時）にはオン指令信号を出力し続ける。そのため、定常時、保護用開閉部により第１給電経路が閉じられた状態が維持される。このような定常時、マイクロコンピュータから出力されるリレー接続信号がラッチ型リレーに供給されると、その接点が閉じて第２給電経路が閉じた状態となり、空調ユニットの運転実行可否端子に対して交流電圧が供給され、それに対応する空調機による暖房運転が実行される。一方、マイクロコンピュータから出力されるリレー解除信号がラッチ型リレーに供給されると、その接点が開いて第２給電経路が開いた状態となり、空調ユニットの運転実行可否端子に対する交流電圧の供給が断たれ、上記暖房運転が停止される。
【００１７】
このように、本手段では、ラッチ型リレーを用いて空調ユニットに対する交流電圧（指令信号）の出力が制御される構成となっている。従来技術の説明でも述べたとおり、このような構成の場合、ラッチ型リレーの接点が閉じた状態で固着する、あるいは、制御系への電源供給が断たれると、運転の実行を指令した状態を解除することができなくなる問題がある。
【００１８】
しかし、本手段の構成によれば、このような問題は発生しない。その理由は、以下のとおりである。すなわち、アークの発生や経年劣化などが原因でラッチ型リレーの接点が閉じた状態で固着した場合、運転の実行を指令した状態が維持されるため、空調ユニットの空調機は暖房運転を継続的に実行する。そのため、部屋の温度が上昇し続けるが、温度検出手段による検出温度が判定温度以上になると、マイクロコンピュータがオン指令信号の出力を停止する。その結果、保護用開閉部により第１給電経路が開かれ、空調ユニットの運転実行可否端子に対する交流電圧の供給が断たれて暖房運転が停止される。
【００１９】
このように、本手段では、温度検出手段による検出温度が所定温度以上になると、オン指令信号の出力が直ちに停止されて第１給電経路が開くので、ラッチ型リレーの接点が閉じられた状態を解除できなくなっても部屋の温度が異常高温に達するまでに、確実に空調ユニットの運転を停止することができる。そして、この場合、空調ユニットの運転を強制的に停止する温度は、マイクロコンピュータにおける判定温度により精度良く設定することができる。そのため、部屋の温度が通常範囲温度であるにもかかわらず空調が停止される誤動作や、部屋の温度が異常高温に達したにもかかわらず空調が停止されない事態の発生を防止することができる。
【００２０】
本手段の構成では、ラッチ型リレーの接点が閉じた状態で、例えば制御用電源回路が故障するなどしてマイクロコンピュータに対する電源電圧の供給が途絶えると、上述した検出温度に基づく空調ユニットの運転の強制停止の制御は実行できなくなる。しかし、この場合、マイクロコンピュータの動作が停止されたことにより、マイクロコンピュータからオン指令信号が出力されなくなる。その結果、保護用開閉部により第１給電経路が開かれ、空調ユニットの運転実行可否端子に対する交流電圧の供給が断たれて暖房運転が停止される。従って、本手段では、ラッチ型リレーの接点が閉じられた状態で制御系に対する電源電圧の供給が途絶えた場合であっても、オン指令信号の出力が直ちに停止されて第１給電経路が開くので、部屋の温度が異常高温に達するまでに、確実に空調ユニットの運転を停止することができる。
【００２１】
請求項３に記載の空調制御装置は、請求項１に記載の空調制御装置と同様に、全館空調システムに用いられる空調ユニットの運転を制御するものである。空調制御装置は、装置の動作全般を制御するマイクロコンピュータ、交流電圧を入力する電圧入力端子、運転実行可否端子に接続される運転指令出力端子、マイクロコンピュータの電源電圧を生成する制御用電源回路、温度検出回路、電圧入力端子から内部交流電源線に至る第１給電経路を開閉する保護用開閉部および内部交流電源線から運転指令出力端子に至る第２給電経路に介在する接点を備えたラッチ型リレーを備えている。そして、温度検出回路は、室内の温度を検出する検出部および検出部による検出温度が所定の判定温度未満である場合にはオン指令信号を出力するとともに検出温度が判定温度以上である場合にはオン指令信号の出力を停止する出力部を備えている。
【００２２】
このような構成において、温度検出回路は、検出部による検出温度が判定温度未満である場合にはオン指令信号を出力する。つまり、温度検出回路は、定常時（通常時）にはオン指令信号を出力し続ける。そのため、定常時、保護用開閉部により第１給電経路が閉じられた状態が維持される。このような定常時、マイクロコンピュータから出力されるリレー接続信号がラッチ型リレーに供給されると、その接点が閉じて第２給電経路が閉じた状態となり、空調ユニットの運転実行可否端子に対して交流電圧が供給され、それに対応する空調機による暖房運転が実行される。一方、マイクロコンピュータから出力されるリレー解除信号がラッチ型リレーに供給されると、その接点が開いて第２給電経路が開いた状態となり、空調ユニットの運転実行可否端子に対する交流電圧の供給が断たれ、上記暖房運転が停止される。
【００２３】
このような本手段の構成によっても、ラッチ型リレーの接点が閉じた状態を解除できなくなる問題は生じない。その理由は、以下のとおりである。すなわち、ラッチ型リレーの接点が閉じた状態で固着した場合、運転の実行を指令した状態が維持されるため、空調ユニットは暖房運転を継続的に実行する。そのため、部屋の温度が上昇し続けるが、温度検出回路の検出部による検出温度が判定温度以上になると、出力部がオン指令信号の出力を停止する。その結果、保護用開閉部により第１給電経路が開かれ、空調ユニットの運転実行可否端子に対する交流電圧の供給が断たれて暖房運転が停止される。
【００２４】
このように、本手段では、温度検出回路の検出部による検出温度が所定温度以上になると、オン指令信号の出力が直ちに停止されて第１給電経路が開くので、ラッチ型リレーの接点が閉じられた状態を解除できなくなっても部屋の温度が異常高温に達するまでに、確実に空調ユニットの運転を停止することができる。そして、この場合、空調ユニットの運転を強制的に停止する温度は、温度検出回路における判定温度により精度良く設定することができる。そのため、部屋の温度が通常範囲温度であるにもかかわらず空調が停止される誤動作や、部屋の温度が異常高温に達したにもかかわらず空調が停止されない事態の発生を防止することができる。
【００２５】
また、本手段では、ラッチ型リレーの接点が閉じた状態で、例えば制御用電源回路が故障するなどしてマイクロコンピュータに対する電源電圧の供給が途絶えた場合、マイクロコンピュータが例えば高温やノイズなどの影響により暴走した場合、または、温度検出手段が故障して正確な室温が分からなくなってしまった場合などにおいても、温度検出回路による上記動作によって、空調ユニットによる暖房運転が速やかに停止される。
【００２６】
従って、本手段によれば、請求項１に記載の手段と同様、接点の固着および接点が閉じた状態での制御系に対する電源電圧の供給停止だけでなく、接点が閉じた状態でのマイクロコンピュータの暴走、温度検出手段の故障などが発生したことによりラッチ型リレーの接点が閉じられた状態を解除できなくなっても、部屋の温度が異常高温に達するまでに、確実に空調ユニットの運転を停止することができる。
【００２７】
請求項４に記載の空調制御装置は、請求項１に記載の空調制御装置と同様に、全館空調システムに用いられる空調ユニットの運転を制御するものである。空調制御装置は、装置の動作全般を制御するマイクロコンピュータ、交流電圧を入力する電圧入力端子、運転実行可否端子に接続される運転指令出力端子、マイクロコンピュータの電源電圧を生成する制御用電源回路、温度検出回路、電圧入力端子から内部交流電源線に至る第１給電経路を開閉する保護用開閉部、内部交流電源線から運転指令出力端子に至る第２給電経路に介在する接点を備えたラッチ型リレーおよび室内の温度を検出する温度検出手段を備えている。そして、温度検出回路は、室内の温度を検出する検出部および検出部による検出温度が所定の判定温度未満である場合にはオン指令信号を出力するとともに検出温度が判定温度以上である場合にはオン指令信号の出力を停止する出力部を備えている。
【００２８】
このような構成において、温度検出回路は、検出部による検出温度が判定温度未満である場合にはオン指令信号を出力する。また、マイクロコンピュータは、起動するとオン指令信号の出力を開始し、その後、温度検出手段による検出温度が判定温度未満である場合にはオン指令信号の出力を継続する。つまり、温度検出回路およびマイクロコンピュータは、定常時（通常時）にはオン指令信号を出力し続ける。そのため、定常時、保護用開閉部により第１給電経路が閉じられた状態が維持される。
【００２９】
このような定常時、マイクロコンピュータから出力されるリレー接続信号がラッチ型リレーに供給されると、その接点が閉じて第２給電経路が閉じた状態となり、空調ユニットの運転実行可否端子に対して交流電圧が供給され、それに対応する空調機による暖房運転が実行される。一方、マイクロコンピュータから出力されるリレー解除信号がラッチ型リレーに供給されると、その接点が開いて第２給電経路が開いた状態となり、空調ユニットの運転実行可否端子に対する交流電圧の供給が断たれ、上記暖房運転が停止される。
【００３０】
このような本手段の構成によっても、ラッチ型リレーの接点が閉じた状態を解除できなくなる問題は生じない。その理由は、以下のとおりである。すなわち、ラッチ型リレーの接点が閉じた状態で固着した場合、運転の実行を指令した状態が維持されるため、空調ユニットは暖房運転を継続的に実行する。そのため、部屋の温度が上昇し続ける。しかし、温度検出回路は、検出部による検出温度が判定温度以上になると、出力部によるオン指令信号の出力を停止する。また、マイクロコンピュータは、温度検出手段による検出温度が判定温度以上になると、オン指令信号の出力を停止する。その結果、保護用開閉部により第１給電経路が開かれ、空調ユニットの運転実行可否端子に対する交流電圧の供給が断たれて暖房運転が停止される。
【００３１】
このように、本手段では、温度検出回路の検出部による検出温度および温度検出手段による検出温度のうち、少なくとも一方が所定温度以上になると、保護用開閉部により第１給電経路が開かれるので、ラッチ型リレーの接点が閉じられた状態を解除できなくなっても部屋の温度が異常高温に達するまでに、確実に空調ユニットの運転を停止することができる。そして、この場合、空調ユニットの運転を強制的に停止する温度は、温度検出回路およびマイクロコンピュータにおける判定温度により精度良く設定することができる。そのため、部屋の温度が通常範囲温度であるにもかかわらず空調が停止される誤動作や、部屋の温度が異常高温に達したにもかかわらず空調が停止されない事態の発生を防止することができる。
【００３２】
また、本手段では、マイクロコンピュータに関する故障（電源電圧の供給停止、暴走、温度検出手段の故障など）が生じた場合などにおいても、温度検出回路による上記動作によって、空調ユニットによる暖房運転が速やかに停止される。さらに、本手段では、ラッチ型リレーの接点が閉じた状態で、温度検出回路が故障した場合においても、マイクロコンピュータによる上記動作によって、空調ユニットによる暖房運転が速やかに停止される。このように、本手段によれば、請求項３に記載の手段と同様の作用および効果が得られる上、接点が閉じた状態で温度検出回路が故障した場合でも、部屋の温度が異常高温に達するまでに、確実に空調ユニットの運転を停止することができる。
【００３３】
請求項２および５に記載の手段では、温度検出手段は、室内の温度を検出する複数の温度センサを備えている。このように複数の温度センサがあれば、それらの検出温度が許容される誤差範囲を超えて異なっていれば、いずれかの温度センサが故障していると判断することができる。この場合、温度センサの数が２つであれば、故障した温度センサを特定することができないため、マイクロコンピュータがオン指令信号の出力を直ちに停止する、または、リレー解除信号を出力することにより、空調ユニットの運転を停止することで、その運転の制御に問題が生じる事態を未然に防止できる。また、温度センサの数が３つ以上であれば、故障した温度センサを特定することが可能であるため、故障していないと判断される温度センサを用いてマイクロコンピュータが上述した制御を引き続き行うことが可能となる。
【００３４】
請求項６に記載の手段では、温度検出回路は、温度スイッチＩＣを備えた構成となっている。温度スイッチＩＣは、温度センサ、その温度センサの出力に基づいて出力状態が定まるもので、オン指令信号の出力を行うための出力回路などが１つのパッケージ内に収められたものである。従って、このような構成を採用すれば、温度検出回路の構成、ひいては装置全体の構成の小型化に寄与することができる。
【００３５】
請求項７に記載の手段では、温度検出回路の検出部は、一対の電源線間に接続されたポリスイッチおよび抵抗の直列回路を含み、その直列回路の共通接続点の電圧に基づいて温度を検出する構成となっている。ポリスイッチは、所定温度以上になると急激に抵抗値が変化する。一方、抵抗の抵抗値は、温度により多少変化するものの、その変化はポリスイッチの抵抗値の変化に比べて小さい。そのため、所定温度以上になると、上記直列回路の共通接続点の電圧が急激に変化する。この場合、その共通接続点の急激な電圧変化により、検出温度が判定温度に達したか否かを検出することができる。このような構成によれば、温度スイッチＩＣを用いる請求項６に記載の手段に比べ、温度検出の精度は低下するものの、温度検出回路を安価に構成することができるメリットがある。
【００３６】
請求項８に記載の手段では、温度検出回路の検出部は、一対の電源線間に接続されたサーミスタおよび抵抗の直列回路を含み、その直列回路の共通接続点の電圧に基づいて温度を検出する構成となっている。サーミスタは、温度変化に比例して抵抗値が変化する。一方、抵抗の抵抗値は、温度により多少変化するものの、その変化はサーミスタの抵抗値の変化に比べて小さい。そのため、上記直列回路の共通接続点の電圧は、温度変化に比例して変化する。従って、例えばコンパレータを用いて、上記共通接続点の電圧と、判定温度に対応して設定される基準電圧とを比較することにより、検出温度が判定温度に達したか否かを検出することができる。このような構成によれば、温度スイッチＩＣを用いる請求項６に記載の手段に比べ、温度検出の精度は低下するものの、温度検出回路を安価に構成することができるメリットがある。
【００３７】
請求項９に記載の手段では、マイクロコンピュータから出力されるパルス信号が供給される期間に電源動作許可信号を制御用電源回路に対して出力する許可信号出力部を備えている。そして、制御用電源回路は、上記電源動作許可信号が供給されている期間には電源電圧の生成動作を行い、電源動作許可信号の供給が断たれると生成動作を停止する。このような構成において、マイクロコンピュータは、正常に動作している期間にはパルス信号を出力するので、制御用電源回路による電源電圧の生成動作が継続して行われる。その結果、マイクロコンピュータは、オン指令信号の出力を継続することができる。これに対し、マイクロコンピュータが故障または暴走した場合、マイクロコンピュータからのパルス信号の出力が途絶えることになる。これにより、許可信号出力部による電源動作許可信号の出力も停止され、その結果、制御用電源回路による電源電圧の生成動作が停止される。そうすると、マイクロコンピュータの動作が停止されるため、オン指令信号の出力も停止される。これにより、保護用開閉部により第１給電経路が開かれ、空調ユニットの運転が強制的に停止される。このような構成によれば、ラッチ型リレーの接点が閉じた状態で、マイクロコンピュータが高温やノイズなどの影響により暴走した場合であっても、空調ユニットの運転を速やかに停止することができる。
【００３８】
請求項１０に記載の手段では、空調ユニットは、空調制御装置からファン動作可否端子に対して交流電圧が供給されると送風用のファンの駆動を実行し、交流電圧の供給が断たれるとファンの駆動を停止する構成である。一方、空調制御装置は、空調ユニットのファン動作可否端子に接続されるファン指令出力端子と、電圧入力端子からファン指令出力端子に至る第３給電経路に介在する第１接点と第１給電経路に介在する第２接点とを備えた非ラッチ型リレーと、を備えている。非ラッチ型リレーは、オン指令信号が供給されると第１および第２接点を閉じるとともに、オン指令信号の供給が断たれると第１および第２接点を開くように構成されている。そして、保護用開閉部は、非ラッチ型リレーが備える第２接点により第１給電経路を開閉する構成となっている。
【００３９】
このような構成によれば、次のような効果が得られる。すなわち、空調ユニットは、必ず送風用のファンを備えており、そのファンの駆動は空調制御装置から出力される交流電圧（指令信号）により制御される。従って、元々、空調制御装置には、そのファンの駆動の実行および停止を切り替えるための構成である非ラッチ型リレーが設けられている。この場合、その非ラッチ型リレーとして、２つの接点（第１接点および第２接点）を有するものを採用し、２つの接点のうちの一方（第２接点）を用いて保護用開閉部による第１給電経路を開閉する機能を実現している。従って、本手段の構成によれば、保護用開閉部による第１給電経路を開閉する機能を実現するために専用の非ラッチ型リレーまたは半導体スイッチング素子などを設ける構成に比べ、製造コストを低減することができる。
【図面の簡単な説明】
【００４０】
【図１】第１の実施形態を示すもので、全館空調システムの概略的な構成を示す図
【図２】空調ユニットおよび空調制御装置の電気的な構成を示す図
【図３】異常温度判定の処理内容を示すフローチャート
【図４】第２の実施形態を示す図２相当図
【図５】第３の実施形態を示す図２相当図
【図６】第４の実施形態を示す図２相当図
【図７】第５の実施形態を示す図２相当図
【図８】第６の実施形態を示す図２相当図
【図９】第７の実施形態を示す図２相当図
【図１０】第８の実施形態を示す図２相当図
【図１１】空調制御装置の変形例を示す図２相当図
【発明を実施するための形態】
【００４１】
以下、本発明の複数の実施形態について図面を参照して説明する。なお、各実施形態において実質的に同一の構成には同一の符号を付して説明を省略する。
（第１の実施形態）
以下、第１の実施形態について、図１〜図３を参照して説明する。
図１に示すように、本実施形態の全館空調システム１は、複数の部屋Ａ、部屋Ｂ、部屋Ｃおよび部屋Ｄを有する家屋２に設けられている。なお、ここでは説明の簡単化のために４つの部屋を有する家屋２を例にして説明するが、部屋数や部屋構成は家屋２のものに限定されることはない。
【００４２】
全館空調システム１は、空調ユニット３、空調制御装置４、給気ダクト５〜８、回収ダクト９〜１２などから構成される。空調ユニット３は、複数の空調機を備え、それら空調機の運転のオン／オフ（実行／停止）の切り替えにより、その運転能力を多段階に変更することができる、運転能力可変のものである。空調ユニット３は、暖房運転および冷房運転を行うものである。なお、空調ユニット３は、暖房運転だけを行う構成でもよい。
【００４３】
各部屋Ａ〜Ｄの任意の側壁の上部には、冷風または温風の吹き出し口１３〜１６が形成されている。吹き出し口１３〜１６は、給気ダクト５〜８を介して空調ユニット３に接続されている。また、各部屋Ａ〜Ｄにおいて、吹き出し口１３〜１６が存在する側壁と対向する側壁の下部には冷風または温風の回収口１７〜２０が形成されている。回収口１７〜２０は、回収ダクト９〜１２を介して空調ユニット３に接続されている。
【００４４】
空調制御装置４は、空調ユニット３の運転を制御するものであり、部屋Ａ〜Ｄのうち、例えば居間などのように人の利用が多い部屋Ａの壁面に、矩形箱状の筐体４ａに収められた状態で設置されている。空調制御装置４の筐体４ａ外部の表面（部屋Ａに露出する側の面）には、スイッチおよび表示器が一体化された操作パネル（図２に符号２１を付して示す）が設けられている。
【００４５】
上記スイッチは、冷房運転および暖房運転の切り替え、運転の開始および停止、制御温度の設定などの各種操作を行うためのものである。上記表示器は、例えばＬＣＤなどにより構成されており、設定温度などの各種情報を表示するためのものである。なお、上記スイッチは、メカニカルなプッシュスイッチでもよいし、例えばタッチパネル上に形成されるタッチスイッチでもよい。
【００４６】
一方、空調制御装置４の筐体４ａ内部には、筐体４ａ内部の温度を検出する温度センサ（図２に符号２２を付して示す）、空調制御装置４の動作全般を制御する制御回路（図２に符号２３を付して示す）などが設けられている。温度センサ２２（温度検出手段に相当）は、室温を測定するために設けられている。空調制御装置４は、部屋Ａの内部に設けられているため、その筐体４ａ内部の温度が部屋Ａの室温と同程度となる。従って、制御回路２３は、筐体４ａ内部の温度を検出する温度センサ２２を通じて部屋Ａの室温を測定することができる。
【００４７】
空調ユニット３が備える各空調機は、空調制御装置４から運転の実行を指令するための指令信号（外部信号）が供給されると運転を実行し、その外部信号の供給が断たれると運転を停止する構成となっている。ここでは、上記外部信号として、例えば２４Ｖの交流電圧を用いている。その交流電圧は、空調ユニット３において生成され、空調制御装置４に供給されるようになっている。そして、空調制御装置４は、空調ユニット３から与えられた交流電圧を再び空調ユニット３に供給するか否かにより、各空調機の運転のオン／オフを切り替えるようになっている。
【００４８】
以下、このような空調ユニット３および空調制御装置４の具体的な構成について説明する。図２に示すように、空調ユニット３および空調制御装置４の間は、複数のケーブル（図２では４つのケーブルＬ１〜Ｌ４を示しているが、実際には、さらに多くのケーブルが存在する）を介して電気的に接続されている。空調ユニット３は、電源回路２４および空調機群２５を備えている。
【００４９】
電源回路２４は、例えば商用電源である交流電源２６から供給される１２０Ｖの交流電圧（１２０ＶＡＣ）から２４Ｖの交流電圧（２４ＶＡＣ）に変換し、単相２線式の形態で出力する。電源回路２４の電圧出力端子２４ａは、端子Ｐ３１およびケーブルＬ１を通じて空調制御装置４の端子Ｐ４１（電圧入力端子に相当）に接続される。また、電源回路２４の接地出力端子２４ｂは、端子Ｐ３２およびケーブルＬ２を通じて空調制御装置４の端子Ｐ４２に接続される。なお、端子Ｐ４２は、空調制御装置４において接地されている。
【００５０】
空調機群２５は、複数の空調機（図２では、暖房運転を行うための２つの空調機２７、２８を示しているが、実際には、暖房用および冷房用の空調機がそれぞれ４つずつ存在する）を備えている。空調機２７、２８は、それぞれ運転実行可否端子２７ａ、２８ａに対して２４Ｖの交流電圧が供給されると暖房運転を実行し、交流電圧の供給が断たれると暖房運転を停止する。運転実行可否端子２７ａ、２８ａは、それぞれ端子Ｐ３３、Ｐ３４およびケーブルＬ３、Ｌ４を通じて空調制御装置４の端子Ｐ４３、Ｐ４４（運転指令出力端子に相当）に接続される。
【００５１】
空調制御装置４は、前述した操作パネル２１、温度センサ２２および制御回路２３に加え、電源回路２９（制御用電源回路に相当）、ヒューズ３０、リレー３１〜３３、トランジスタ３４、抵抗３５およびリレードライバ３６〜３９を備えている。電源回路２９には、空調ユニット３から出力される交流電圧が、端子Ｐ４１およびヒューズ３０を介して与えられている。電源回路２９は、入力された交流電圧を所望の電圧値（例えば＋３．３Ｖ）を持つ直流電圧Ｖccに変換して出力する。直流電圧Ｖccは、制御回路２３の電源電圧、リレー３１〜３３の駆動電圧などに用いられる。
【００５２】
リレー３１は、非ラッチ型（ステイブル型）リレーであり、接点３１ａおよび励磁コイル３１ｂを備えている。接点３１ａは、端子Ｐ４１から内部交流電源線４０に至る給電経路（第１給電経路に相当）に介在するように設けられている。励磁コイル３１ｂの一方の端子には、直流電圧Ｖccが与えられている。励磁コイル３１ｂの他方の端子は、ＮＰＮ形のトランジスタ３４のコレクタ・エミッタ間を介してグランドに接続されている（接地されている）。トランジスタ３４のベースには、ベース電流制限用の抵抗３５を介して制御回路２３から出力されるリレー制御信号Ｓr1が与えられる。
【００５３】
トランジスタ３４は、そのベースにＨレベル（例えば直流電圧Ｖccの電圧値）のリレー制御信号Ｓr1が与えられると、オンする。これにより、励磁コイル３１ｂが通電され、接点３１ａが閉じる。また、トランジスタ３４は、そのベースにＬレベル（接地電位＝０Ｖ）のリレー制御信号Ｓr1が与えられると、あるいは、そのベースにリレー制御信号Ｓr1が与えられないと、オフする。これにより、励磁コイル３１ｂへの通電が解除され、接点３１ａが開く。制御回路２３は、上述したようにリレー制御信号Ｓr1のレベルを変化させることにより、リレー３１の接点３１ａの開閉を制御する。なお、本実施形態では、リレー３１、トランジスタ３４および抵抗３５により保護用開閉部４１が構成されている。また、Ｈレベルのリレー制御信号Ｓr1がオン指令信号に相当する。
【００５４】
リレー３２、３３は、いずれも２コイルラッチ型リレーである。リレー３２は、接点３２ａ、セット用の励磁コイル３２ｓおよびリセット用の励磁コイル３２ｒを備えている。接点３２ａは、内部交流電源線４０から端子Ｐ４３に至る給電経路（第２給電経路に相当）に介在するように設けられている。励磁コイル３２ｓ、３２ｒの一方の端子には、いずれも直流電圧Ｖccが与えられている。励磁コイル３２ｓ、３２ｒの他方の端子は、それぞれリレードライバ３６、３７の出力端子に接続されている。
【００５５】
リレードライバ３６、３７は、例えばＮＰＮ形のトランジスタを含む構成であり、制御回路２３から出力されるリレー制御信号Ｓr2s、Ｓr2rに基づいて、その出力状態を、オープンまたはＬレベル（接地電位＝０Ｖ）に変化させる。リレードライバ３６は、Ｈレベルのリレー制御信号Ｓr2sが与えられると、出力端子をＬレベルにする。これにより、励磁コイル３２ｓが通電され、接点３２ａが閉じる。また、リレードライバ３６は、Ｌレベルのリレー制御信号Ｓr2sが与えられると、出力端子をオープンにする。これにより、励磁コイル３２ｓへの通電が解除され、接点３２ａは、その時点における状態（開状態または閉状態）を維持する。
【００５６】
リレードライバ３７は、Ｈレベルのリレー制御信号Ｓr2rが与えられると、出力端子をＬレベルにする。これにより、励磁コイル３２ｒが通電され、接点３２ａが開く。また、リレードライバ３７は、Ｌレベルのリレー制御信号Ｓr2rが与えられると、出力端子をオープンにする。これにより、励磁コイル３２ｒへの通電が解除され、接点３２ａは、その時点における状態を維持する。制御回路２３は、上述したようにリレー制御信号Ｓr2s、Ｓr2rのレベルを変化させることにより、リレー３２の接点３２ａの開閉を制御する。
【００５７】
リレー３３は、リレー３２と同様の構成であり、接点３３ａおよび励磁コイル３３ｓ、３３ｒを備えている。接点３３ａは、内部交流電源線４０から端子Ｐ４４に至る給電経路（第２給電経路に相当）に介在するように設けられている。励磁コイル３３ｓ、３３ｒの一方の端子には、いずれも直流電圧Ｖccが与えられている。励磁コイル３３ｓ、３３ｒの他方の端子は、それぞれリレードライバ３８、３９の出力端子に接続されている。
【００５８】
リレードライバ３８、３９は、リレードライバ３６、３７と同様の構成であり、制御回路２３から出力されるリレー制御信号Ｓr3s、Ｓr3rに基づいて、その出力状態を変化させる。制御回路２３は、前述したリレー３２の接点３２ａの開閉制御と同様に、リレー制御信号Ｓr3s、Ｓr3rのレベルを変化させることにより、リレー３３の接点３３ａの開閉を制御する。なお、本実施形態では、Ｈレベルのリレー制御信号Ｓr2s、Ｓr3sがリレー接続信号に相当し、Ｈレベルのリレー制御信号Ｓr2r、Ｓr3rがリレー解除信号に相当する。
【００５９】
制御回路２３は、電源電圧として直流電圧Ｖccの供給を受けて動作するものであり、ＣＰＵ、ＲＯＭ、ＲＡＭなどを備えたマイクロコンピュータを主体として構成されている。制御回路２３には、操作パネル２１から各スイッチの操作状態を示す信号が与えられる。制御回路２３は、操作状態を示す信号に基づいて各スイッチに対する操作を検出し、その操作に応じた処理を実行する。また、制御回路２３は、設定された温度および現在の室温などの各種情報を操作パネル２１の表示器により表示する。制御回路２３には、温度センサ２２により検出された温度を示す温度検出信号が与えられる。制御回路２３は、温度検出信号に基づいて部屋Ａの室内の温度を検出し、その検出温度に基づいて各種の処理を実施する（詳細は後述する）。
【００６０】
次に、上記構成の作用について説明する。
空調ユニット３から空調制御装置４に対する交流電圧の供給が開始されると、電源回路２９が直流電圧Ｖccの生成動作を行う。これにより、制御回路２３は、起動し、Ｈレベルのリレー制御信号Ｓr1の出力を開始する。すると、リレー３１の接点３１ａが閉じ、端子Ｐ４１および内部交流電源線４０の間が電気的に接続された状態（第１給電経路が閉じた状態）となる。このような状態において、制御回路２３は、例えばタイマ割り込みなどにより、図３のフローチャートに示す内容の温度判定処理を定期的に実施する。温度判定処理が開始されると、制御回路２３は、温度センサ２２から与えられる温度検出信号に基づいて室温を検出する（Ａ１）。
【００６１】
そして、制御回路２３は、検出した室温（検出温度）が判定温度以上であるか否かを判断する（Ａ２）。なお、判定温度は、部屋の温度が異常高温であると判断する温度であり、例えば４０℃に設定されている。室温が判定温度未満である場合（Ａ２：ＮＯ）、通常温度制御が実施される（Ａ３）。通常温度制御では、制御回路２３は、検出温度が設定温度に一致するように空調ユニット３の運転を制御する。
【００６２】
制御回路２３は、次のように空調ユニット３の運転を制御する。なお、ここでは、空調ユニット３における空調機２７の運転制御を例に説明するが、空調機２８を含む他の空調機の運転制御についても同様に行うことができる。制御回路２３は、リレー３２の開閉を通じて空調ユニット３の空調機２７の運転を制御する。制御回路２３からＨレベルのリレー制御信号Ｓr2sが出力されると、リレー３２の接点３２ａが閉じる。これにより、内部交流電源線４０および端子Ｐ４３の間が電気的に接続された状態（第２給電経路が閉じた状態）となり、運転実行可否端子２７ａに対して交流電圧が供給され、空調機２７による暖房運転が実行される。
【００６３】
また、制御回路２３からＨレベルのリレー制御信号Ｓr2rが出力されると、リレー３２の接点３２ａが開く。これにより、内部交流電源線４０および端子Ｐ４３の間が電気的に切り離された状態（第２給電経路が開いた状態）となり、運転実行可否端子２７ａに対する交流電圧の供給が断たれ、空調機２７による暖房運転の実行が停止される。このようにして各空調機による暖房運転の実行および停止（オン／オフ）が切り替えられることにより、空調ユニット３の暖房能力が変化する。このように、通常温度制御では、制御回路２３は、検出温度が設定温度に一致するように、空調ユニット３の暖房能力を変化させる。
【００６４】
一方、室温が判定温度以上である場合（Ａ２：ＹＥＳ）、フェールセーフ制御が実施される（Ａ４）。フェールセーフ制御では、制御回路２３は、リレー制御信号Ｓr1をＬレベルに変更する。すると、リレー３１の接点３１ａが開き、内部交流電源線４０および端子Ｐ４１の間が電気的に切り離された状態（第１給電経路が開いた状態）となる。そのため、リレー３２、３３の開閉状態に関係なく、運転実行可否端子２７ａ、２８ａに対する交流電圧の供給が断たれ、空調機２７、２８による暖房運転の実行が停止される。
【００６５】
以上説明した本実施形態によれば、次のような効果が得られる。
空調制御装置４は、ラッチ型のリレー３２、３３を用いて空調ユニット３に対する交流電圧（運転の実行および停止を指令する指令信号）の出力を制御する構成となっている。このような構成の場合、定常時における筐体４ａ内部の温度上昇が低く抑えられるため、温度センサ２２により精度良く室温の測定を行うことができるというメリットがある一方で、次のようなデメリットがある。すなわち、リレー３２、３３の接点３２ａ、３３ａが閉じた状態において、アークや経年劣化などが原因となって接点３２ａ、３３ａが固着すると、空調ユニット３に対し運転の実行を指令した状態を解除することができなくなる。また、接点３２ａ、３３ａが閉じた状態において、電源回路２９の故障、ヒューズ３０の切断などにより、制御回路２３に対する直流電圧Ｖccの供給が断たれた場合にも、空調ユニット３に対し運転の実行を指令した状態を解除することができなくなる。
【００６６】
しかし、本実施形態の構成では、次のような理由から上記問題が発生することはない。すなわち、接点３２ａ、３３ａが閉じた状態で固着すると、運転の実行を指令した状態が維持されるため、空調機２７、２８は暖房運転を継続的に実行する。そのため、部屋の温度が上昇し続けるが、温度センサ２２による検出温度が判定温度以上になると、制御回路２３がリレー制御信号Ｓr1をＬレベルに変更する。その結果、リレー３１の接点３１ａが開いて内部交流電源線４０および端子Ｐ４１の間が電気的に切り離された状態となり、運転実行可否端子２７ａ、２８ａに対する交流電圧の供給が断たれて空調機２７、２８による暖房運転の実行が強制的に停止される。
【００６７】
このように、本実施形態では、温度センサ２２による検出温度が判定温度以上になると、制御回路２３がリレー制御信号Ｓr1を速やかにＬレベルに変更して第１給電経路が開くので、接点３２ａ、３３ａが閉じられた状態をリレードライバ３６〜３９を通じて解除することができなくなっても、部屋の温度が異常高温に達するまでに、確実に空調ユニット３の運転を停止することができる。そして、この場合、空調ユニット３の運転を強制的に停止する温度は、制御回路２３において用いられる判定温度により精度良く設定することができる。そのため、部屋の温度が通常範囲温度であるにもかかわらず空調が停止される誤動作や、部屋の温度が異常高温に達したにもかかわらず空調が停止されない事態の発生を防止することができる。
【００６８】
本実施形態の構成では、接点３２ａ、３３ａが閉じた状態で、制御回路２３に対する直流電圧Ｖccの供給が途絶えると、上述した検出温度に基づく空調ユニット３の運転の強制停止を行うフェールセーフ制御は実行できなくなる。しかし、この場合、制御回路２３の動作が停止されたことにより、制御回路２３からリレー制御信号Ｓr1が出力されなくなる。その結果、リレー３１の接点３１ａが開いて内部交流電源線４０および端子Ｐ４１の間が電気的に切り離された状態となり、運転実行可否端子２７ａ、２８ａに対する交流電圧の供給が断たれて空調機２７、２８による暖房運転の実行が強制的に停止される。従って、本実施形態では、リレー３２、３３の接点３２ａ、３３ａが閉じられた状態で制御回路２３に対する直流電圧Ｖccの供給が途絶えた場合であっても、リレー制御信号Ｓr1の出力が直ちに停止されて第１給電経路が開くので、部屋の温度が異常高温に達するまでに、確実に空調ユニット３の運転を停止することができる。
【００６９】
また、本実施形態の構成では、接点３２ａ、３３ａが閉じた状態で、電源回路２９による直流電圧Ｖccの生成動作が行われなくなる異常が生じた場合にも、上述したフェールセーフ制御は実行できなくなる。なお、上記異常は、次のようなことが原因で生じる。すなわち、電源回路２９または直流電圧Ｖccの供給先である制御回路２３などにおいて短絡故障などが生じて端子Ｐ４１から電源回路２９に向けて過電流が流れると、ヒューズ３０が溶断する。そうすると、電源回路２９に対する交流電圧の供給が停止されるため、直流電圧Ｖccの生成動作が行われなくなる。また、空調ユニット３において空調機群２５がフル稼働した場合、内部の温度上昇が想定よりも高くなるなどして、その制御系、給電系などの動作が不安定になり変化するおそれがある。そうすると、電源回路２４の仕様によっては、出力する交流電圧（２４ＶＡＣ）が低下する可能性がある。そして、電源回路２４から出力される交流電圧が電源回路２９の最低動作保証電圧を下回ると、直流電圧Ｖccの生成動作が行われなくなる。
【００７０】
このように直流電圧Ｖccの生成動作が停止されたとしても、本実施形態の構成では、直流電圧Ｖccの低下に伴い励磁コイル３１ｂが断電されるため、接点３１ａが開いて運転実行可否端子２７ａ、２８ａに対する交流電圧の供給が断たれて空調機２７、２８による暖房運転の実行が強制的に停止される。このように、本実施形態では、種々の異常のいずれが生じた場合でも、必ず安全側に回路が動作するように設計が行われている。従って、本実施形態によれば、従来の構成に比べ、一層安全性が向上するようになっている。
【００７１】
また、本実施形態では、ラッチ型のリレー３２、３３を用いて空調ユニット３に対する交流電圧の出力を制御する構成によるデメリットを解消するために、空調制御装置４に追加した構成としては、リレー３１、トランジスタ３４および抵抗３５だけである。なお、温度センサ２２は、室温測定用として元々設けられているものを流用している。従って、本実施形態によれば、従来技術において用いられていたバイメタル式スイッチに比べると、安価なリレー３１、トランジスタ３４および抵抗３５を用いて、上記デメリットを解消することができるため、空調制御装置４の製造コストを低く抑えることができる。
【００７２】
（第２の実施形態）
以下、第２の実施形態について、図４を参照して説明する。
図４に示す本実施形態の空調制御装置５１は、第１の実施形態の空調制御装置４が備える構成に加え、筐体４ａ内部の温度を検出する温度センサ５２（温度検出手段に相当）を備えている。この場合、制御回路２３には、温度センサ２２、５２の双方から検出した温度を示す温度検出信号が与えられている。制御回路２３は、２つの温度検出信号のうち少なくとも一方に基づいて室内の温度を検出する。
【００７３】
また、制御回路２３は、２つの温度検出信号が表す温度が許容される誤差範囲を超えて異なっている場合、温度センサ２２、５２のうち少なくとも一方が故障していると判断する。この場合、制御回路２３は、リレー制御信号Ｓr1をＬレベルに変更してリレー３１の接点３１ａを開く、または、Ｈレベルのリレー制御信号Ｓr2r、Ｓr3rを出力してリレー３２、３３の接点３２ａ、３３ａを開くことにより、空調機２７、２８による暖房運転を強制的に停止する。
【００７４】
第１の実施形態では、接点３２ａ、３３ａが閉じた状態で固着した際に温度センサ２２が故障していると、制御回路２３によるフェールセーフ制御が正常に実施できなくなる可能性があった。しかし、本実施形態のように、２つの温度センサ２２、５２があれば、上述したようにして、それらの故障を検出するとともに、直ちに空調ユニット３による運転を強制停止することができる。従って、制御回路２３によるフェールセーフ制御が正常に実施できなくなるといった事態の発生を未然に防止することができる。なお、空調制御装置には、元々室温測定用として２つの温度センサを備えたものがあるため、温度センサ２２、５２としては、そのような元々設けられた温度センサを流用することができる。
【００７５】
（第３の実施形態）
以下、第３の実施形態について、図５を参照して説明する。
図５に示すように、本実施形態の空調制御装置６１は、第１の実施形態の空調制御装置４に対し、トランジスタ３４および抵抗３５に代えて温度スイッチ６２（温度スイッチＩＣに相当）、抵抗６３およびトランジスタ６４を備えている点が異なる。
【００７６】
温度スイッチ６２は、温度センサ（検出部に相当）、その温度センサの出力に基づいて出力状態が定まるオープンコレクタ（またはオープンドレイン）形式の出力回路（出力部に相当）などが１つのパッケージに収められたＩＣ（半導体集積回路）として構成されている。温度スイッチ６２の温度センサは、筐体４ａ内部の温度を検出する。温度スイッチ６２の出力回路は、その温度センサによる検出温度が判定温度未満である場合には、出力端子をオープンにする状態になり、検出温度が判定温度以上である場合には出力端子からＬレベル（グランド＝０Ｖ）の信号を出力する状態になる。
【００７７】
温度スイッチ６２の出力端子は、プルアップ用の抵抗６３を介して直流電圧Ｖccの供給端子に接続されるとともに、ＮＰＮ形のトランジスタ６４のベースに接続されている。トランジスタ６４のコレクタは、リレー３１の励磁コイル３１ｂの他方の端子に接続されている。トランジスタ６４のエミッタは、グランドに接続されている（接地されている）。
【００７８】
このような構成において、温度スイッチ６２の出力端子がオープンになると、トランジスタ６４がオンする。これにより、励磁コイル３１ｂが通電され、接点３１ａが閉じる。また、温度スイッチ６２の出力端子からＬレベルの信号が出力されると、トランジスタ６４がオフする。これにより、励磁コイル３１ｂへの通電が解除され、接点３１ａが開く。このように、本実施形態では、リレー３１の接点３１ａの開閉は、温度スイッチ６２により制御される。
【００７９】
なお、本実施形態では、リレー３１およびトランジスタ６４により保護用開閉部６５が構成され、温度スイッチ６２および抵抗６３により温度検出回路６６が構成されている。また、本実施形態では、温度スイッチ６２の出力端子がオープンになる状態が、オン指令信号が出力された状態に相当する。
【００８０】
次に、上記構成の作用について説明する。
温度スイッチ６２は、検出温度が判定温度未満である場合、出力端子をオープンにする。つまり、温度スイッチ６２は、定常時（通常時）には出力端子がオープンとなる状態を継続する。そのため、定常時、トランジスタ６４がオンしてリレー３１の接点３１ａが閉じ、端子Ｐ４１および内部交流電源線４０の間が電気的に接続された状態が維持される。従って、定常時、制御回路２３は、第１の実施形態と同様に、リレー３２、３３の開閉により空調ユニット３の運転を制御することができる。
【００８１】
一方、温度スイッチ６２は、検出温度が判定温度以上である場合、出力端子からＬレベルの信号を出力する。これにより、トランジスタ６４がオフしてリレー３１の接点３１ａが開き、内部交流電源線４０および端子Ｐ４１の間が電気的に切り離された状態となる。そのため、リレー３２、３３の開閉状態に関係なく、運転実行可否端子２７ａ、２８ａに対する交流電圧の供給が断たれ、空調機２７、２８による暖房運転の実行が停止される。
【００８２】
以上説明した本実施形態の構成によっても、第１の実施形態と同様の作用および効果が得られる。すなわち、リレー３２、３３の接点３２ａ、３３ａが閉じた状態で固着した場合、運転の実行を指令した状態が維持されるため、空調機２７、２８は暖房運転を継続的に実行する。そのため、部屋の温度が上昇し続けるが、その温度が判定温度以上になると、温度スイッチ６２が出力端子からＬレベルの信号を出力する。その結果、リレー３１の接点３１ａが開いて内部交流電源線４０および端子Ｐ４１の間が電気的に切り離された状態となり、運転実行可否端子２７ａ、２８ａに対する交流電圧の供給が断たれて空調機２７、２８による暖房運転の実行が強制的に停止される。
【００８３】
このように、本実施形態では、温度スイッチ６２の温度センサによる検出温度が所定温度以上になると、温度スイッチ６２がＬレベルの信号を出力する状態に速やかに転じて第１給電経路が開くので、接点３２ａ、３３ａが閉じられた状態をリレードライバ３６〜３９を通じて解除することができなくなっても、部屋の温度が異常高温に達するまでに、確実に空調ユニット３の運転を停止することができる。そして、この場合、空調ユニット３の運転を強制的に停止する温度は、温度スイッチ６２において用いられる判定温度により精度良く設定することができる。そのため、部屋の温度が通常範囲温度であるにもかかわらず空調が停止される誤動作や、部屋の温度が異常高温に達したにもかかわらず空調が停止されない事態の発生を防止することができる。
【００８４】
また、本実施形態では、リレー３２、３３の接点３２ａ、３３ａが閉じた状態で、制御回路２３に対する直流電圧Ｖccの供給が途絶えた場合、制御回路２３のマイクロコンピュータが例えば高温やノイズなどの影響により暴走した場合、または、温度センサ２２が故障して制御回路２３が正確な室温を把握できなくなってしまった場合などにおいても、温度スイッチ６２による上記動作によって、空調ユニット３による暖房運転が速やかに停止される。
【００８５】
従って、本実施形態によれば、第１の実施形態と同様、接点３２ａ、３３ａの固着および接点３２ａ、３３ａが閉じた状態での制御回路２３に対する直流電圧Ｖccの供給停止だけでなく、接点３２ａ、３３ａが閉じた状態でのマイクロコンピュータの暴走、温度センサ２２の故障などが原因で接点３２ａ、３３ａが閉じられた状態をリレードライバ３６〜３９を通じて解除することができなくなっても、部屋の温度が異常高温に達するまでに、確実に空調ユニット３の運転を停止することができる。
【００８６】
また、本実施形態の構成では、異常が生じて直流電圧Ｖccの生成動作が停止した場合、第１の実施形態と同様に励磁コイル３１ｂの一方の端子への直流電圧Ｖccの印加が停止される上、励磁コイル３１ｂの他方の端子とグランドとの間に介在するトランジスタ６４が確実にオフするため、一層確実に励磁コイル３１ｂへの通電が解除されて接点３１ａを開くことができる。
【００８７】
温度スイッチ６２は、１つのパッケージに収められたＩＣとして構成されている。そのため、本実施形態において追加された温度検出回路６６の構成は比較的小さなものとなっている。従って、本実施形態の空調制御装置６１は、第１の実施形態の空調制御装置４に対し、その体格については概ね同程度に維持したまま、上述したような制御回路２３に関する故障による問題を解消することができる。
【００８８】
（第４の実施形態）
以下、第４の実施形態について、図６を参照して説明する。
図６に示す本実施形態の空調制御装置７１は、第１の実施形態の空調制御装置４が備える構成に加え、温度スイッチ６２、抵抗６３およびトランジスタ６４を備えている点が異なる。この場合、温度スイッチ６２、抵抗６３およびトランジスタ６４の接続形態は、第３の実施形態と同様である。ただし、この場合、トランジスタ３４のコレクタは、励磁コイル３１ｂの他方の端子ではなく、温度スイッチ６２の出力端子（トランジスタ６４のベース）に接続されている。
【００８９】
このような構成において、制御回路２３からＬレベルのリレー制御信号Ｓr1が出力され、且つ、温度スイッチ６２の出力端子がオープンになると、トランジスタ６４がオンする。これにより、励磁コイル３１ｂが通電され、接点３１ａが閉じる。また、制御回路２３がＨレベルのリレー制御信号Ｓr1を出力するという条件および温度スイッチ６２が出力端子からＬレベルの信号を出力するという条件のうち、少なくとも一方が満たされると、トランジスタ６４がオフする。これにより、励磁コイル３１ｂへの通電が解除され、接点３１ａが開く。このように、本実施形態では、リレー３１の接点３１ａの開閉は、制御回路２３および温度スイッチ６２により制御される。
【００９０】
なお、本実施形態では、リレー３１、トランジスタ３４、抵抗３５およびトランジスタ６４により保護用開閉部７２が構成されている。また、本実施形態では、Ｌレベルのリレー制御信号Ｓr1がオン指令信号に相当する。
【００９１】
次に、上記構成の作用について説明する。
温度スイッチ６２は、第３の実施形態と同様、定常時には出力端子がオープンとなる状態を継続する。また、制御回路２３は、起動するとＬレベルのリレー制御信号Ｓr1の出力を開始し、その後、温度センサ２２による検出温度が判定温度未満である場合には、Ｌレベルのリレー制御信号Ｓr1の出力を継続する。そのため、定常時、トランジスタ６４がオンしてリレー３１の接点３１ａが閉じ、端子Ｐ４１および内部交流電源線４０の間が電気的に接続された状態が維持される。従って、定常時、制御回路２３は、第１の実施形態と同様に、リレー３２、３３の開閉により空調ユニット３の運転を制御することができる。
【００９２】
一方、温度スイッチ６２は、検出温度が判定温度以上である場合、出力端子からＬレベルの信号を出力する。また、制御回路２３は、温度センサ２２による検出温度が判定温度以上である場合、リレー制御信号Ｓr1のレベルをＨレベルに変化させる。これらのうち、少なくともいずれか一方が行われることにより、トランジスタ６４がオフしてリレー３１の接点３１ａが開き、内部交流電源線４０および端子Ｐ４１の間が電気的に切り離された状態となる。そのため、リレー３２、３３の開閉状態に関係なく、運転実行可否端子２７ａ、２８ａに対する交流電圧の供給が断たれ、空調機２７、２８による暖房運転の実行が停止される。
【００９３】
以上説明した本実施形態の構成によっても、第３の実施形態と同様の作用および効果が得られる。すなわち、リレー３２、３３の接点３２ａ、３３ａが閉じた状態で固着した場合、運転の実行を指令した状態が維持されるため、空調機２７、２８は暖房運転を継続的に実行する。そのため、部屋の温度が上昇し続ける。しかし、温度スイッチ６２は、その温度センサによる検出温度が判定温度以上になると、出力端子からＬレベルの信号を出力する。また、制御回路２３は、温度センサ２２による検出温度が判定温度以上になると、リレー制御信号Ｓr1をＨレベルにする。その結果、リレー３１の接点３１ａが開いて内部交流電源線４０および端子Ｐ４１の間が電気的に切り離された状態となり、運転実行可否端子２７ａ、２８ａに対する交流電圧の供給が断たれて空調機２７、２８による暖房運転の実行が強制的に停止される。
【００９４】
このように、本実施形態では、温度スイッチ６２の温度センサによる検出温度および温度センサ２２による検出温度のうち、少なくとも一方が所定温度以上になると、保護用開閉部７２により第１給電経路が開かれるので、接点３２ａ、３３ａが閉じられた状態をリレードライバ３６〜３９を通じて解除することができなくなっても、部屋の温度が異常高温に達するまでに、確実に空調ユニット３の運転を停止することができる。そして、この場合、空調ユニット３の運転を強制的に停止する温度は、制御回路２３および温度スイッチ６２における判定温度により精度良く設定することができる。そのため、部屋の温度が通常範囲温度であるにもかかわらず空調が停止される誤動作や、部屋の温度が異常高温に達したにものかかわらず空調が停止されない事態の発生を防止することができる。
【００９５】
また、本実施形態では、制御回路２３に関する故障（直流電圧Ｖccの供給停止、マイクロコンピュータの暴走、温度センサ２２の故障など）が生じた場合などにおいても、温度スイッチ６２による上記動作によって、空調ユニット３による暖房運転が速やかに停止される。さらに、本実施形態では、リレー３２、３３の接点３２ａ、３３ａが閉じた状態で温度スイッチ６２を含む温度検出回路６６が故障した場合でも、制御回路２３による上記動作によって、空調ユニット３による暖房運転が速やかに停止される。このように、本実施形態によれば、第３の実施形態と同様の作用および効果が得られる上、接点３２ａ、３３ａが閉じた状態で温度検出回路６６が故障した場合でも、部屋の温度が異常高温に達するまでに、確実に空調ユニット３の運転を停止することができる。
【００９６】
（第５の実施形態）
以下、第５の実施形態について、図７を参照して説明する。
全館空調システム１では、空調機を動作させて空調を行う際、その運転の種類（暖房、冷房）に関係なく、常時ファンを駆動して送風を行うようになっている。図７に示すように、本実施形態では、上述した送風用のファンを駆動するための構成が示されている。この場合、空調ユニット８１が備えるファン８２は、ファン動作可否端子８２ａに対して交流電圧が供給されると駆動し、交流電圧の供給が断たれると駆動を停止する構成となっている。ファン動作可否端子８２ａは、端子Ｐ３５およびケーブルＬ５を通じて空調制御装置８３の端子Ｐ４５（ファン指令出力端子に相当）に接続される。
【００９７】
空調制御装置８３は、第４の実施形態の空調制御装置７１に対し、リレー３１に代えてリレー８４を備えている点、抵抗６３およびトランジスタ６４が省略されている点などが異なる。リレー８４（非ラッチ型リレーに相当）は、２回路のシングルステイブル型リレーであり、２つの接点８４ａ、８４ｂおよび励磁コイル８４ｃを備えている。
【００９８】
接点８４ａ（第１接点に相当）は、端子Ｐ４１から端子Ｐ４５に至る給電経路（第３給電経路に相当）に介在するように設けられている。接点８４ｂ（第２接点に相当）は、端子Ｐ４１から内部交流電源線４０に至る給電経路（第１給電経路）に介在するように設けられている。励磁コイル８４ｃの一方の端子には、直流電圧Ｖccが与えられている。励磁コイル８４ｃの他方の端子は、トランジスタ３４のコレクタ・エミッタ間を介してグランドに接続されている。トランジスタ３４のベースは、抵抗３５を介して制御回路２３のリレー制御信号Ｓr1の出力端子に接続されるとともに、温度スイッチ６２の出力端子に接続されている。
【００９９】
このような構成によれば、リレー８４の接点８４ａ、８４ｂの開閉は、制御回路２３および温度スイッチ６２により制御される。具体的には、温度スイッチ６２の出力端子がオープンの状態において制御回路２３からＨレベルのリレー制御信号Ｓr1が出力されると、トランジスタ３４がオンする。これにより、励磁コイル８４ｃが通電され、接点８４ａ、８４ｂが閉じる。
【０１００】
また、温度スイッチ６２の出力端子からＬレベルの信号が出力されるという条件および制御回路２３からＨレベルのリレー制御信号Ｓr1の出力が停止される（Ｌレベルのリレー制御信号Ｓr1が出力される、または、リレー制御信号Ｓr1が出力されない）という条件のうち、少なくとも一方が満たされると、トランジスタ３４がオフする。これにより、励磁コイル８４ｃへの通電が解除され、接点８４ａ、８４ｂが開く。
【０１０１】
本実施形態では、リレー８４の接点８４ｂおよび励磁コイル８４ｃ、トランジスタ３４および抵抗３５により保護用開閉部８５が構成されている。つまり、本実施形態では、全館空調システム１が元々備えている送風用のファンの駆動状態を切り替えるために用いられるリレーを２回路（接点８４ａ、８４ｂ）入りのリレー８４に変更し、そのうちの１回路（接点８４ｂ）を用いて第１給電経路を開閉する保護用開閉部８５を構成している。従って、本実施形態によれば、第１給電経路を開閉するための構成（例えばリレー）を別途設ける場合に比べ、その製造コストを低減することができる。
【０１０２】
（第６の実施形態）
以下、第６の実施形態について、図８を参照して説明する。
図８に示す第６の実施形態の空調制御装置９１は、第１の実施形態の空調制御装置４に対し、トランジスタ３４および抵抗３５に代えてポリスイッチ９２、抵抗９３、９４およびトランジスタ９５を備えている点が異なる。ポリスイッチ９２は、所定温度以上になると急激に抵抗値が変化するものである。この場合、上記所定温度は、異常高温を判定するための判定温度（例えば４０℃）になっている。
【０１０３】
直流電圧Ｖccの供給端子およびグランド（一対の電源線に相当）の間には、ポリスイッチ９２および抵抗９３の直列回路が接続されている。その直列回路の共通接続点Ｎ９１は、ベース電流制限用の抵抗９４を介して、ＮＰＮ形のトランジスタ９５のベースに接続されている。トランジスタ９５のコレクタは、リレー３１の励磁コイル３１ｂの他方の端子に接続されている。トランジスタ９５のエミッタは、グランドに接続されている。
【０１０４】
この場合、ポリスイッチ９２の通常時（所定温度未満のとき）における抵抗値Ｒp1は、抵抗９３の抵抗値Ｒ９３に比べて非常に小さい値に設定される。また、ポリスイッチ９２の異常高温時（所定温度以上のとき）における抵抗値Ｒp2は、抵抗値Ｒ９３に比べて非常に高い値に設定される。また、抵抗９４の抵抗値Ｒ９４は、通常時にトランジスタ９５をオン駆動可能なベース電流を流すことができる値に設定されている。
【０１０５】
このような構成において、室温が通常範囲温度である通常時には、ポリスイッチ９２の抵抗値Ｒp1が抵抗９３の抵抗値Ｒ９３に対して非常に小さいため、共通接続点Ｎ９１の電圧が直流電圧Ｖccに近い電圧値となる。そのため、トランジスタ９５がオンする。これにより、励磁コイル３１ｂが通電され、接点３１ａが閉じる。また、室温が異常高温となる異常高温時には、ポリスイッチ９２の抵抗値Ｒp2が抵抗９３の抵抗値Ｒ９３に対して非常に大きいため、共通接続点Ｎ９１の電圧がグランド（０Ｖ）に近い電圧値となる。そのため、トランジスタ９５がオフする。これにより、励磁コイル３１ｂへの通電が解除され、接点３１ａが開く。このように、本実施形態では、リレー３１の接点３１ａの開閉は、共通接続点Ｎ９１の電圧により制御される。
【０１０６】
なお、本実施形態では、リレー３１およびトランジスタ９５により保護用開閉部９６が構成され、ポリスイッチ９２および抵抗９３、９４により温度検出回路９７が構成されている。また、本実施形態では、共通接続点Ｎ９１の電圧が直流電圧Ｖccに近い電圧値になる状態が、オン指令信号が出力された状態に相当する。
【０１０７】
次に、上記構成の作用について説明する。
室温（特にはポリスイッチ９２の周囲温度）が判定温度未満である場合、共通接続点Ｎ９１の電圧は、直流電圧Ｖccに近い電圧値となる。そのため、定常時、トランジスタ９５がオンしてリレー３１の接点３１ａが閉じ、端子Ｐ４１および内部交流電源線４０の間が電気的に接続された状態が維持される。従って、定常時、制御回路２３は、第１の実施形態と同様に、リレー３２、３３の開閉により空調ユニット３の運転を制御することができる。
【０１０８】
一方、室温が判定温度以上である場合、共通接続点Ｎ９１の電圧は、０Ｖに近い電圧値となる。そのため、異常高温時、トランジスタ９５がオフしてリレー３１の接点３１ａが開き、内部交流電源線４０および端子Ｐ４１の間が電気的に切り離された状態となる。そのため、リレー３２、３３の開閉状態に関係なく、運転実行可否端子２７ａ、２８ａに対する交流電圧の供給が断たれ、空調機２７、２８による暖房運転の実行が停止される。
【０１０９】
以上説明した本実施形態の構成によっても、第３の実施形態と同様の作用および効果が得られる。さらに、本実施形態では、ポリスイッチ９２および抵抗９３、９４により温度検出回路９７が構成されている。このような温度検出回路９７は、第３の実施形態の温度スイッチ６２を含む温度検出回路６６に対し、温度検出の精度は低下するものの、安価に構成することができるというメリットがある。
【０１１０】
また、本実施形態の構成では、異常が生じて直流電圧Ｖccの生成動作が停止した場合、第１の実施形態と同様に励磁コイル３１ｂの一方の端子への直流電圧Ｖccの印加が停止される上、励磁コイル３１ｂの他方の端子とグランドとの間に介在するトランジスタ９５が確実にオフするため、一層確実に励磁コイル３１ｂへの通電が解除されて接点３１ａを開くことができる。
【０１１１】
（第７の実施形態）
以下、第７の実施形態について、図９を参照して説明する。
図９に示す本実施形態の空調制御装置１０１は、第１の実施形態の空調制御装置４に対し、トランジスタ３４および抵抗３５に代えてサーミスタ１０２、抵抗１０３〜１０５、ツェナーダイオード１０６、コンパレータ１０７およびトランジスタ１０８を備えている点が異なる。サーミスタ１０２は、温度上昇に比例して抵抗値が減少するＮＴＣサーミスタである。
【０１１２】
直流電圧Ｖccの供給端子およびグランド（一対の電源線に相当）の間には、サーミスタ１０２および抵抗１０３の第１の直列回路と、抵抗１０４およびツェナーダイオード１０６の第２の直列回路とが接続されている。第１の直列回路の共通接続点Ｎ１０１は、コンパレータ１０７の反転入力端子に接続されている。第２の直列回路の共通接続点Ｎ１０２（ツェナーダイオード１０６のカソード）は、コンパレータ１０７の非反転入力端子に接続されている。
【０１１３】
コンパレータ１０７の出力端子は、プルアップ用の抵抗１０５を介して直流電圧Ｖccの供給端子に接続されるとともに、ＮＰＮ形のトランジスタ１０８のベースに接続されている。トランジスタ１０８のコレクタは、リレー３１の励磁コイル３１ｂの他方の端子に接続されている。トランジスタ１０８のエミッタは、グランドに接続されている。
【０１１４】
この場合、サーミスタ１０２の（抵抗値の）温度特性、抵抗１０３、１０４の抵抗値およびツェナーダイオード１０６のツェナー電圧Ｖｚ（基準電圧に相当）は、下記（１）および（２）の条件を満たすように設定されている。
（１）室温が異常高温を判定する判定温度（例えば４０℃）未満であるとき、共通接続点Ｎ１０１の電圧がツェナー電圧Ｖｚより低くなるという条件
（２）室温が判定温度以上であるとき、共通接続点Ｎ１０１の電圧がツェナー電圧Ｖｚより高くなるという条件
【０１１５】
このような構成において、室温が通常範囲温度である通常時には、共通接続点Ｎ１０１の電圧がツェナー電圧Ｖｚより低くなるため、コンパレータ１０７の出力がオープンとなる。そのため、トランジスタ１０８がオンする。これにより、励磁コイル３１ｂが通電され、接点３１ａが閉じる。また、室温が異常高温となる異常高温時には、共通接続点Ｎ１０１の電圧がツェナー電圧Ｖｚより高くなるため、コンパレータ１０７の出力がＬレベルとなる。そのため、トランジスタ１０８がオフする。これにより、励磁コイル３１ｂへの通電が解除され、接点３１ａが開く。このように、本実施形態では、リレー３１の接点３１ａの開閉は、共通接続点Ｎ１０１の電圧により制御される。
【０１１６】
なお、本実施形態では、リレー３１およびトランジスタ１０８により保護用開閉部１０９が構成され、サーミスタ１０２、抵抗１０３〜１０５、ツェナーダイオード１０６およびコンパレータ１０７により温度検出回路１１０が構成されている。また、本実施形態では、共通接続点Ｎ１０１の電圧がツェナー電圧Ｖｚより低くなる状態が、オン指令信号が出力された状態に相当する。
【０１１７】
次に、上記構成の作用について説明する。
室温（特にはサーミスタ１０２の周囲温度）が判定温度未満である場合、共通接続点Ｎ１０１の電圧は、ツェナー電圧Ｖｚより低くなる。そのため、定常時、トランジスタ１０８がオンしてリレー３１の接点３１ａが閉じ、端子Ｐ４１および内部交流電源線４０の間が電気的に接続された状態が維持される。従って、定常時、制御回路２３は、第１の実施形態と同様に、リレー３２、３３の開閉により空調ユニット３の運転を制御することができる。
【０１１８】
一方、室温が判定温度以上である場合、共通接続点Ｎ１０１の電圧は、ツェナー電圧Ｖｚより高くなる。そのため、異常高温時、トランジスタ１０８がオフしてリレー３１の接点３１ａが開き、内部交流電源線４０および端子Ｐ４１の間が電気的に切り離された状態となる。そのため、リレー３２、３３の開閉状態に関係なく、運転実行可否端子２７ａ、２８ａに対する交流電圧の供給が断たれ、空調機２７、２８による暖房運転の実行が停止される。
【０１１９】
以上説明した本実施形態の構成によっても、第３の実施形態と同様の作用および効果が得られる。さらに、本実施形態では、サーミスタ１０２、抵抗１０３〜１０５、ツェナーダイオード１０６およびコンパレータ１０７により温度検出回路１１０が構成されている。このような温度検出回路１１０は、第３の実施形態の温度スイッチ６２を含む温度検出回路６６に対し、温度検出の精度は低下するものの、安価に構成することができるというメリットがある。
【０１２０】
また、本実施形態の構成では、異常が生じて直流電圧Ｖccの生成動作が停止した場合、第１の実施形態と同様に励磁コイル３１ｂの一方の端子への直流電圧Ｖccの印加が停止される上、励磁コイル３１ｂの他方の端子とグランドとの間に介在するトランジスタ１０８が確実にオフするため、一層確実に励磁コイル３１ｂへの通電が解除されて接点３１ａを開くことができる。
【０１２１】
（第８の実施形態）
以下、第８の実施形態について、図１０を参照して説明する。
図１０に示す本実施形態の空調制御装置１２１は、第１の実施形態の空調制御装置４に対し、許可信号出力部１２２を新たに備えている点、電源回路２９に代えて電源回路１２３（制御用電源回路に相当）を備えている点などが異なる。この場合、制御回路２３は、正常に動作している期間には、許可信号出力部１２２に対してパルス信号を出力する。許可信号出力部１２２は、例えばウォッチドッグタイマなどを備えており、制御回路２３から出力されるパルス信号が供給されている期間に電源動作許可信号を電源回路１２３に出力する。
【０１２２】
電源回路１２３は、下記（１）および（２）の少なくともいずれかの条件を満たす場合、電源回路２９と同様の直流電圧Ｖccの生成動作を行う。また、電源回路１２３は、上記（１）および（２）の条件をいずれも満たさない場合、直流電圧Ｖccの生成動作を停止する。
（１）交流電圧の供給が開始された時点（起動時）から所定時間が経過するまでの期間であるという条件
（２）電源動作許可信号が供給されているという条件
【０１２３】
このような構成によれば、空調ユニット３から空調制御装置４に対して交流電圧の供給が開始される起動時には、電源回路１２３による直流電圧Ｖccの生成動作が必ず行われるので、制御回路２３は、第１の実施形態と同様に起動する。そして、その後、制御回路２３が正常に動作していれば、パルス信号の出力が継続されるため、電源回路１２３による直流電圧Ｖccの生成動作も継続して行われる。
【０１２４】
一方、制御回路２３において、故障、マイクロコンピュータの暴走などが生じ、正常動作が不可能になると、許可信号出力部１２２に対するパルス信号の出力が途絶えることになる。これにより、許可信号出力部１２２による電源動作許可信号の出力も停止され、その結果、電源回路１２３による直流電圧Ｖccの生成動作が停止される。そうすると、制御回路２３の動作が強制的に停止されるため、リレー制御信号Ｓr1の出力も停止される。これにより、リレー３１の接点３１ａが開き、空調ユニット３の運転が強制的に停止される。
【０１２５】
従って、本実施形態の構成によれば、第１の実施形態と同様の作用および効果が得られる上、リレー３２、３３の接点３２ａ、３３ａが閉じた状態で、制御回路２３において故障やマイクロコンピュータの暴走が生じた場合であっても、空調ユニット３による運転を速やかに停止することができる。
【０１２６】
（その他の実施形態）
なお、本発明は上記し且つ図面に記載した各実施形態に限定されるものではなく、次のような変形または拡張が可能である。
温度センサ２２、５２は、直流電源Ｖccの供給を受けて動作する構成でもよいし、直流電圧Ｖccとは別の電圧の供給を受けて動作する構成でもよい。ただし、図１１に示すように、温度センサ２２が直流電圧Ｖccの供給を受けて動作する構成を採用すると、次のように更なる安全対策を施すことが可能となる。すなわち、このような構成において、異常が生じて直流電圧Ｖccの生成動作が停止されると、温度センサ２２から出力される温度検出信号が正常動作時の範囲から外れたレベルの信号になる。制御回路２３は、温度検出信号が正常動作時の範囲から外れたレベルであることを検出すると、温度センサ２２に異常が生じていると判断する。この場合、制御回路２３は、リレー制御信号Ｓr1をＬレベルにしてリレー３１の接点３１ａを開く、または、Ｈレベルのリレー制御信号Ｓr2r、Ｓr3rを出力してリレー３２、３３の接点３２ａ、３３ａを開くことにより、空調機２７、２８による暖房運転を強制的に停止することができる。
【０１２７】
空調ユニット３に対する交流電圧の出力を切り替えるための構成としては、ラッチ型リレーであればよく、例えば１つの励磁コイルに対する印加電圧の極性を切り替えることにより接点の開閉を行う１コイルラッチ型リレーであってもよい。
端子Ｐ４１および内部交流電源線４０の間の第１給電経路を開閉する手段としては、リレー３１、８４に限らずともよく、例えばＭＯＳＦＥＴ、バイポーラトランジスタなどの半導体スイッチング素子であってもよい。
上記各実施形態で用いられた各バイポーラトランジスタは、ＭＯＳＦＥＴなど他のスイッチング素子に置き換えることが可能である。
【０１２８】
電源回路２９、１２３（制御用電源回路）は、空調ユニットから供給される交流電圧とは別の電圧の供給を受けて直流電圧Ｖccを生成する構成であってもよい。例えば空調制御装置に電源（例えば電池など）が設けられている場合、電源回路２９、１２３は、その電源から供給される電圧の供給を受けて直流電圧Ｖccを生成する構成でもよい。
【０１２９】
温度スイッチＩＣとしては、オープンコレクタ出力形式の温度スイッチ６２に限らず、オープンドレイン出力形式の温度スイッチ、ＣＭＯＳ出力形式の温度スイッチであってもよい。なお、ＣＭＯＳ出力形式の温度スイッチを用いる場合、プルアップ用の抵抗６３を省略することができる。また、使用する温度スイッチの出力の論理が温度スイッチ６２の論理と逆になる場合、その出力をトランジスタなどにより反転させればよい。
【０１３０】
第４の実施形態の空調制御装置７１において、抵抗６３およびトランジスタ６４を省略してもよい。その場合、温度スイッチ６２の出力端子をトランジスタ３４のベースに接続するとともに、トランジスタ３４のコレクタを励磁コイル３１ｂの他方の端子に接続すればよい。このような構成によれば、制御回路２３からＨレベルのリレー制御信号Ｓr1が出力されない限り接点３１ａを閉じることができないものの、回路構成を削減することができる。
【０１３１】
空調制御装置が、３つ以上の温度センサを元々備えた構成である場合、制御回路２３はそれら３つ以上の温度センサを流用して上記各実施形態に記載した各種処理を実行するとよい。そうすれば、温度センサのいずれかが故障した場合には、その故障した温度センサを特定することができるため、制御回路２３は、故障していないと判断した温度センサを用いて、各種処理を継続することができる。
【０１３２】
第７の実施形態の空調制御装置１０１では、温度検出回路１１０の構成要素として、ＮＴＣサーミスタであるサーミスタ１０２を使用していたが、これに代えて、温度上昇に比例して抵抗値が増加するＰＴＣサーミスタを用いてもよい。ただし、この場合、抵抗１０３を直流電圧Ｖcc側に配置するとともに、ＰＴＣサーミスタをグランド側に配置する必要がある。また、コンパレータ１０７の非反転入力端子に与える基準電圧は、抵抗１０４およびツェナーダイオード１０６の直列回路を用いて生成されていたが、これに代えて、２つの抵抗の分圧回路により基準電圧を生成する構成を採用してもよい。このようにすれば、基準電圧の精度、ひいては温度の検出精度は低下するものの、製造コストを低減できるメリットがある。
【符号の説明】
【０１３３】
図面中、１は全館空調システム、３、８１は空調ユニット、４、５１、６１、７１、８３、９１、１０１、１２１は空調制御装置、２２、５２は温度センサ（温度検出手段）、２３は制御回路（マイクロコンピュータ）、２７、２８は空調機、２７ａ、２８ａは運転実行可否端子、２９、１２３は電源回路（制御用電源回路）、３２、３３はラッチ型リレー、３２ａ、３３ａは接点、４０は内部交流電源線、４１、６５、７２、９６、１０９は保護用開閉部、６２は温度スイッチ（温度スイッチＩＣ）、６６、９７、１１０は温度検出回路、８２はファン、８２ａはファン動作可否端子、８４は非ラッチ型リレー、８４ａは第１接点、８４ｂは第２接点、９２はポリスイッチ、９３は抵抗、１０２はサーミスタ、１０３は抵抗、１２２は許可信号出力部、Ｐ４１は端子（電圧入力端子）、Ｐ４３、Ｐ４４は端子（運転指令出力端子）、Ｐ４５は端子（ファン指令出力端子）を示す。
【図１】
2015132403.tif 000003
【図２】
2015132403.tif 000004
【図３】
2015132403.tif 000005
【図４】
2015132403.tif 000006
【図５】
2015132403.tif 000007
【図６】
2015132403.tif 000008
【図７】
2015132403.tif 000009
【図８】
2015132403.tif 000010
【図９】
2015132403.tif 000011
【図１０】
2015132403.tif 000012
【図１１】
2015132403.tif 000013